(57)【要約】【課題】本発明は、輝度計を用いて画像表示装置のキャリブレーションを行う場合に、キャリブレーション実行時の不都合を抑制するキャリブレーション装置、その制御方法、プログラムおよび記憶媒体を提供することを目的とする。【解決手段】キャリブレーション装置は、画像表示装置の表示輝度を計測する輝度計に関する情報を取得する第１取得手段と、画像表示装置のキャリブレーションにおける目標輝度を取得する第２取得手段と、輝度計に関する情報および目標輝度に基づいて、キャリブレーションが正しく実行されるか否かを予測する予測手段と、キャリブレーションを実行するキャリブレーション手段と、ユーザにキャリブレーションに関する情報を通知する通知手段と、を有し、予測手段が、キャリブレーションが正しく実行されないと予測した場合に、通知手段は、キャリブレーションが実行される前に、予測手段の予測結果を通知することを特徴とする。【選択図】図２
2018146621.tif 000002
【特許請求の範囲】
【請求項１】
画像表示装置の表示輝度のキャリブレーションを実行可能なキャリブレーション装置であって、
前記画像表示装置の表示輝度を計測する輝度計に関する情報を取得する第１取得手段と、
前記画像表示装置のキャリブレーションにおける目標輝度を取得する第２取得手段と、
前記輝度計に関する情報および前記目標輝度に基づいて、前記キャリブレーションが正しく実行されるか否かを予測する予測手段と、
前記キャリブレーションを実行するキャリブレーション手段と、
ユーザに前記キャリブレーションに関する情報を通知する通知手段と、
を有し、
前記予測手段が、前記キャリブレーションが正しく実行されないと予測した場合に、前記通知手段は、前記キャリブレーションが実行される前に、前記予測手段の予測結果を通知する
ことを特徴とするキャリブレーション装置。
【請求項２】
前記輝度計に関する情報は、前記輝度計の機種名または測定可能範囲のうち少なくともいずれかを含み、
前記予測手段は、
前記輝度計に関する情報に基づいて前記輝度計の測定可能範囲を取得し、
前記目標輝度が前記測定可能範囲に含まれる場合に、前記キャリブレーションが正しく実行されると予測し、
前記目標輝度が前記測定可能範囲に含まれない場合に、前記キャリブレーションが正しく実行されないと予測する
ことを特徴とする請求項１に記載のキャリブレーション装置。
【請求項３】
前記通知手段はさらに、前記輝度計の前記測定可能範囲を通知する
ことを特徴とする請求項２に記載のキャリブレーション装置。
【請求項４】
前記目標輝度が前記測定可能範囲に含まれない場合に、前記キャリブレーション手段は、前記輝度計による前記測定可能範囲内の測定値の外挿値を用いたキャリブレーションを実行する
ことを特徴とする請求項２または３に記載のキャリブレーション装置。
【請求項５】
画像表示装置の表示輝度のキャリブレーションを実行可能なキャリブレーション装置であって、
前記画像表示装置の表示輝度を計測する輝度計に関する情報を取得する取得手段と、
前記輝度計に関する情報に基づいて、前記キャリブレーションが正しく実行されるか否かを予測する予測手段と、
前記キャリブレーションを実行するキャリブレーション手段と、
ユーザに前記キャリブレーションに関する情報を通知する通知手段と、
を有し、
前記輝度計に関する情報は、前記輝度計による、目標輝度を表示する前記画像表示装置の測定値または測定エラーの発生に関する情報を含み、
前記予測手段は、
前記輝度計に関する情報に基づいて、前記輝度計に測定エラーが発生しているか否かを判定し、
測定エラーが発生していると判定した場合に、前記キャリブレーションが正しく実行されないと予測し、
測定エラーが発生していないと判定した場合に、前記キャリブレーションが正しく実行されると予測し、
前記予測手段が、前記キャリブレーションが正しく実行されないと予測した場合に、前記通知手段は、前記キャリブレーションが実行される前に、前記予測手段の予測結果を通知する
ことを特徴とするキャリブレーション装置。
【請求項６】
画像表示装置の表示輝度のキャリブレーションを実行可能なキャリブレーション装置であって、
前記画像表示装置のキャリブレーションにおける目標輝度を取得する取得手段と、
前記目標輝度と閾値に基づいて、前記キャリブレーションが正しく実行されるか否かを予測する予測手段と、
前記キャリブレーションを実行するキャリブレーション手段と、
ユーザに前記キャリブレーションに関する情報を通知する通知手段と、
を有し、
前記予測手段は、
前記目標輝度が前記閾値以下である場合に、前記キャリブレーションが正しく実行されると予測し、
前記目標輝度が前記閾値を超える場合に、前記キャリブレーションが正しく実行されないと予測し、
前記予測手段が、前記キャリブレーションが正しく実行されないと予測した場合に、前記通知手段は、前記キャリブレーションが実行される前に、前記予測手段の予測結果を通知する
ことを特徴とするキャリブレーション装置。
【請求項７】
前記予測手段が、前記キャリブレーションが正しく実行されると予測した場合に、前記キャリブレーション手段は前記キャリブレーションを実行する
ことを特徴とする請求項１から６のいずれか１項に記載のキャリブレーション装置。
【請求項８】
画像表示装置の表示輝度のキャリブレーションを実行可能なキャリブレーション装置であって、
前記画像表示装置の表示輝度を計測する輝度計に関する情報を取得する第１取得手段と、
前記画像表示装置に関する情報を取得する第２取得手段と、
前記画像表示装置に関する情報および前記輝度計に関する情報に基づいて、前記キャリブレーションにおける目標輝度の設定可能な範囲を決定する決定手段と、
ユーザに前記目標輝度の設定可能な範囲を通知する通知手段と、
を有することを特徴とするキャリブレーション装置。
【請求項９】
前記通知手段は、少なくともテキストまたはグラフィックのいずれかを表示する表示手段を有する
ことを特徴とする請求項１から８のいずれか１項に記載のキャリブレーション装置。
【請求項１０】
前記通知手段は、音声を発する音声手段を有する
ことを特徴とする請求項１から９のいずれか１項に記載のキャリブレーション装置。
【請求項１１】
請求項１から１０のいずれか１項に記載のキャリブレーション装置を備える
ことを特徴とする画像表示装置。
【請求項１２】
画像表示装置の表示輝度のキャリブレーションを実行可能なキャリブレーション装置の
制御方法であって、
前記画像表示装置の表示輝度を計測する輝度計に関する情報を取得する第１取得ステップと、
前記画像表示装置のキャリブレーションにおける目標輝度を取得する第２取得ステップと、
前記輝度計に関する情報および前記目標輝度に基づいて、前記キャリブレーションが正しく実行されるか否かを予測する予測ステップと、
前記キャリブレーションを実行するキャリブレーションステップと、
ユーザに前記キャリブレーションに関する情報を通知する通知ステップと、
を有し、
前記予測ステップにおいて、前記キャリブレーションが正しく実行されないと予測された場合に、前記通知ステップでは、前記キャリブレーションが実行される前に、前記予測ステップにおける予測結果が通知される
ことを特徴とするキャリブレーション装置の制御方法。
【請求項１３】
前記輝度計に関する情報は、前記輝度計の機種名または測定可能範囲のうち少なくともいずれかを含み、
前記予測ステップでは、
前記輝度計に関する情報に基づいて前記輝度計の測定可能範囲が取得され、
前記目標輝度が前記測定可能範囲に含まれる場合に、前記キャリブレーションが正しく実行されると予測され、
前記目標輝度が前記測定可能範囲に含まれない場合に、前記キャリブレーションが正しく実行されないと予測される
ことを特徴とする請求項１２に記載のキャリブレーション装置の制御方法。
【請求項１４】
前記通知ステップではさらに、前記輝度計の前記測定可能範囲が通知される
ことを特徴とする請求項１３に記載のキャリブレーション装置の制御方法。
【請求項１５】
前記目標輝度が前記測定可能範囲に含まれない場合に、前記キャリブレーションステップでは、前記輝度計による前記測定可能範囲内の測定値の外挿値を用いたキャリブレーションが実行される
ことを特徴とする請求項１３または１４に記載のキャリブレーション装置の制御方法。
【請求項１６】
画像表示装置の表示輝度のキャリブレーションを実行可能なキャリブレーション装置の制御方法であって、
前記画像表示装置の表示輝度を計測する輝度計に関する情報を取得する取得ステップと、
前記輝度計に関する情報に基づいて、前記キャリブレーションが正しく実行されるか否かを予測する予測ステップと、
前記キャリブレーションを実行するキャリブレーションステップと、
ユーザに前記キャリブレーションに関する情報を通知する通知ステップと、
を有し、
前記輝度計に関する情報は、前記輝度計による、目標輝度を表示する前記画像表示装置の測定値または測定エラーの発生に関する情報を含み、
前記予測ステップでは、
前記輝度計に関する情報に基づいて、前記輝度計に測定エラーが発生しているか否かが判定され、
測定エラーが発生していると判定された場合に、前記キャリブレーションが正しく実行されないと予測され、
測定エラーが発生していないと判定された場合に、前記キャリブレーションが正しく
実行されると予測され、
前記予測ステップにおいて、前記キャリブレーションが正しく実行されないと予測された場合に、前記通知ステップでは、前記キャリブレーションが実行される前に、前記予測ステップにおける予測結果が通知される
ことを特徴とするキャリブレーション装置の制御方法。
【請求項１７】
画像表示装置の表示輝度のキャリブレーションを実行可能なキャリブレーション装置の制御方法であって、
前記画像表示装置のキャリブレーションにおける目標輝度を取得する取得ステップと、
前記目標輝度と閾値に基づいて、前記キャリブレーションが正しく実行されるか否かを予測する予測ステップと、
前記キャリブレーションを実行するキャリブレーションステップと、
ユーザに前記キャリブレーションに関する情報を通知する通知ステップと、
を有し、
前記予測ステップでは、
前記目標輝度が閾値以下である場合に、前記キャリブレーションが正しく実行されると予測され、
前記目標輝度が前記閾値を超える場合に、前記キャリブレーションが正しく実行されないと予測され、
前記予測ステップにおいて、前記キャリブレーションが正しく実行されないと予測された場合に、前記通知ステップでは、前記キャリブレーションが実行される前に、前記予測ステップにおける予測結果が通知される
ことを特徴とするキャリブレーション装置の制御方法。
【請求項１８】
前記予測ステップにおいて、前記キャリブレーションが正しく実行されると予測された場合に、前記キャリブレーションステップで前記キャリブレーションが実行される
ことを特徴とする請求項１２から１７のいずれか１項に記載のキャリブレーション装置の制御方法。
【請求項１９】
画像表示装置の表示輝度のキャリブレーションを実行可能なキャリブレーション装置の制御方法であって、
前記画像表示装置の表示輝度を計測する輝度計に関する情報を取得する第１取得ステップと、
前記画像表示装置に関する情報を取得する第２取得ステップと、
前記画像表示装置に関する情報および前記輝度計に関する情報に基づいて、前記キャリブレーションにおける目標輝度の設定可能な範囲を決定する決定ステップと、
ユーザに前記目標輝度の設定可能な範囲を通知する通知ステップと、
を有することを特徴とするキャリブレーション装置の制御方法。
【請求項２０】
前記通知ステップでは、少なくともテキストまたはグラフィックのいずれかによる通知が行われる
ことを特徴とする請求項１２から１９のいずれか１項に記載のキャリブレーション装置の制御方法。
【請求項２１】
前記通知ステップでは、音声による通知が行われる
ことを特徴とする請求項１２から２０のいずれか１項に記載のキャリブレーション装置の制御方法。
【請求項２２】
請求項１２から２１のいずれか１項に記載のキャリブレーション装置の制御方法の各ステップをコンピュータに実行させるためのプログラム。
【請求項２３】
請求項１２から２１のいずれか１項に記載のキャリブレーション装置の制御方法の各ステップをコンピュータに実行させるためのプログラムを記憶したことを特徴とするコンピュータが読み取り可能な記憶媒体。
【発明の詳細な説明】
【技術分野】
【０００１】
本発明はキャリブレーション装置、その制御方法、プログラム、記憶媒体および画像表示装置に関する。
【背景技術】
【０００２】
従来、業務用の画像表示装置の画像信号規格に対応した表示性能を実現するために、輝度計を用いてユーザがキャリブレーションを行っている。キャリブレーションでは、複数の表示階調や表示色が輝度計で測定される。測定時の表示階調や表示色の設定値と測定結果から、入力した画像信号規格に合致するように、画像表示装置の内部のパラメータが変更される。これにより画像表示装置の画像信号規格に対応した表示性能が実現される。この作業の時には、ユーザが使用する複数の画像信号規格について、キャリブレーションが同時に実行される場合がある。
【０００３】
また、近年、撮像装置の受光性能向上に伴い、一般的な画像信号規格として用いられているＢＴ．７０９よりも広いダイナミックレンジを有する撮像画像（以下、このような画像をＨＤＲ画像と称す）が生成されるようになってきている。このようなＨＤＲ画像を扱うためのデータフォーマットとして、例えば、ダイナミックレンジが広いフィルムの特性に基づいて定められたＣｉｎｅｏｎ  Ｌｏｇが使用されている。この画像信号規格では、数千ｃｄ／ｍ２の高輝度が要求されている。
【０００４】
ところで、業務用の画像表示装置の表示品位を確保する必要のあるユーザは、現行の画像信号に対応した輝度計をすでに有している場合が多い。複数の画像信号規格に対応するため、業務用の画像表示装置のキャリブレーションを行うソフトウエアを作成する場合は、複数の輝度計が必要となる。これらの輝度計は、これまで使用していた画像表示装置のキャリブレーションのための仕様に対応していた。そのため、ユーザが所有する輝度計は、ＨＤＲ画像のキャリブレーションには不十分な、０．００５〜１０００ｃｄ／ｍ２の測定可能範囲に対応するものである場合もある。また、分光輝度計の場合、仕様には０．０００５〜５，０００ｃｄ／ｍ２の範囲を測定可能と記載されていても、ＬＥＤバックライトを用いた液晶ディスプレイの輝度を測定する場合に不都合が生じることがある。例えば、液晶ディスプレイの輝度が２，０００ｃｄ／ｍ２程度と分光輝度計の仕様の１／２以下であっても、測定エラーが発生する場合がある。これは、ＬＥＤバックライトの分光特性上、波長スペクトルが鋭く、分光センサーが飽和することにより生じる現象である。これらの輝度計でＨＤＲ画像の画像表示装置のキャリブレーションを実施した場合、キャリブレーションの目標輝度値が高い場合には、表示輝度が測定可能範囲を超えるため測定エラーが発生してしまう。測定エラーが発生した場合、測定エラーの原因を可視化することにより、条件変更設定を迅速に行う機能を追加した計測器が提案されている（例えば、特許文献１）。
【先行技術文献】
【特許文献】
【０００５】
【特許文献１】特開２０１５−１２９６４０号公報
【発明の概要】
【発明が解決しようとする課題】
【０００６】
しかしながら、上述した従来の技術を、ＨＤＲ画像を表示可能な画像表示装置に用いると、輝度計の測定可能範囲よりキャリブレーションの目標輝度値が高い場合に、キャリブ
レーション中に測定エラー等の不都合が発生する可能性がある。特に複数のキャリブレーションを同時に実施している場合は、キャリブレーションが正常に完了せずユーザの負担が増える課題がある。そこで、本発明は、輝度計を用いて画像表示装置のキャリブレーションを行う場合に、キャリブレーション実行時の不都合を抑制するキャリブレーション装置、その制御方法、プログラムおよび記憶媒体を提供することを目的とする。
【課題を解決するための手段】
【０００７】
本発明の第１の態様は、
画像表示装置の表示輝度のキャリブレーションを実行可能なキャリブレーション装置であって、
前記画像表示装置の表示輝度を計測する輝度計に関する情報を取得する第１取得手段と、
前記画像表示装置のキャリブレーションにおける目標輝度を取得する第２取得手段と、
前記輝度計に関する情報および前記目標輝度に基づいて、前記キャリブレーションが正しく実行されるか否かを予測する予測手段と、
前記キャリブレーションを実行するキャリブレーション手段と、
ユーザに前記キャリブレーションに関する情報を通知する通知手段と、
を有し、
前記予測手段が、前記キャリブレーションが正しく実行されないと予測した場合に、前記通知手段は、前記キャリブレーションが実行される前に、前記予測手段の予測結果を通知する
ことを特徴とするキャリブレーション装置である。
【０００８】
本発明の第２の態様は、
画像表示装置の表示輝度のキャリブレーションを実行可能なキャリブレーション装置であって、
前記画像表示装置の表示輝度を計測する輝度計に関する情報を取得する取得手段と、
前記輝度計に関する情報に基づいて、前記キャリブレーションが正しく実行されるか否かを予測する予測手段と、
前記キャリブレーションを実行するキャリブレーション手段と、
ユーザに前記キャリブレーションに関する情報を通知する通知手段と、
を有し、
前記輝度計に関する情報は、前記輝度計による、目標輝度を表示する前記画像表示装置の測定値または測定エラーの発生に関する情報を含み、
前記予測手段は、
前記輝度計に関する情報に基づいて、前記輝度計に測定エラーが発生しているか否かを判定し、
測定エラーが発生していると判定した場合に、前記キャリブレーションが正しく実行されないと予測し、
測定エラーが発生していないと判定した場合に、前記キャリブレーションが正しく実行されると予測し、
前記予測手段が、前記キャリブレーションが正しく実行されないと予測した場合に、前記通知手段は、前記キャリブレーションが実行される前に、前記予測手段の予測結果を通知する
ことを特徴とするキャリブレーション装置である。
【０００９】
本発明の第３の態様は、
画像表示装置の表示輝度のキャリブレーションを実行可能なキャリブレーション装置であって、
前記画像表示装置のキャリブレーションにおける目標輝度を取得する取得手段と、
前記目標輝度と閾値に基づいて、前記キャリブレーションが正しく実行されるか否かを予測する予測手段と、
前記キャリブレーションを実行するキャリブレーション手段と、
ユーザに前記キャリブレーションに関する情報を通知する通知手段と、
を有し、
前記予測手段は、
前記目標輝度が前記閾値以下である場合に、前記キャリブレーションが正しく実行されると予測し、
前記目標輝度が前記閾値を超える場合に、前記キャリブレーションが正しく実行されないと予測し、
前記予測手段が、前記キャリブレーションが正しく実行されないと予測した場合に、前記通知手段は、前記キャリブレーションが実行される前に、前記予測手段の予測結果を通知する
ことを特徴とするキャリブレーション装置である。
【００１０】
本発明の第４の態様は、
画像表示装置の表示輝度のキャリブレーションを実行可能なキャリブレーション装置であって、
前記画像表示装置の表示輝度を計測する輝度計に関する情報を取得する第１取得手段と、
前記画像表示装置に関する情報を取得する第２取得手段と、
前記画像表示装置に関する情報および前記輝度計に関する情報に基づいて、前記キャリブレーションにおける目標輝度の設定可能な範囲を決定する決定手段と、
ユーザに前記目標輝度の設定可能な範囲を通知する通知手段と、
を有することを特徴とするキャリブレーション装置である。
【００１１】
本発明の第５の態様は、
画像表示装置の表示輝度のキャリブレーションを実行可能なキャリブレーション装置の制御方法であって、
前記画像表示装置の表示輝度を計測する輝度計に関する情報を取得する第１取得ステップと、
前記画像表示装置のキャリブレーションにおける目標輝度を取得する第２取得ステップと、
前記輝度計に関する情報および前記目標輝度に基づいて、前記キャリブレーションが正しく実行されるか否かを予測する予測ステップと、
前記キャリブレーションを実行するキャリブレーションステップと、
ユーザに前記キャリブレーションに関する情報を通知する通知ステップと、
を有し、
前記予測ステップにおいて、前記キャリブレーションが正しく実行されないと予測された場合に、前記通知ステップでは、前記キャリブレーションが実行される前に、前記予測ステップにおける予測結果が通知される
ことを特徴とするキャリブレーション装置の制御方法である。
【００１２】
本発明の第６の態様は、
画像表示装置の表示輝度のキャリブレーションを実行可能なキャリブレーション装置の制御方法であって、
前記画像表示装置の表示輝度を計測する輝度計に関する情報を取得する取得ステップと、
前記輝度計に関する情報に基づいて、前記キャリブレーションが正しく実行されるか否かを予測する予測ステップと、
前記キャリブレーションを実行するキャリブレーションステップと、
ユーザに前記キャリブレーションに関する情報を通知する通知ステップと、
を有し、
前記輝度計に関する情報は、前記輝度計による、目標輝度を表示する前記画像表示装置の測定値または測定エラーの発生に関する情報を含み、
前記予測ステップでは、
前記輝度計に関する情報に基づいて、前記輝度計に測定エラーが発生しているか否かが判定され、
測定エラーが発生していると判定された場合に、前記キャリブレーションが正しく実行されないと予測され、
測定エラーが発生していないと判定された場合に、前記キャリブレーションが正しく実行されると予測され、
前記予測ステップにおいて、前記キャリブレーションが正しく実行されないと予測された場合に、前記通知ステップでは、前記キャリブレーションが実行される前に、前記予測ステップにおける予測結果が通知される
ことを特徴とするキャリブレーション装置の制御方法である。
【００１３】
本発明の第７の態様は、
画像表示装置の表示輝度のキャリブレーションを実行可能なキャリブレーション装置の制御方法であって、
前記画像表示装置のキャリブレーションにおける目標輝度を取得する取得ステップと、
前記目標輝度と閾値に基づいて、前記キャリブレーションが正しく実行されるか否かを予測する予測ステップと、
前記キャリブレーションを実行するキャリブレーションステップと、
ユーザに前記キャリブレーションに関する情報を通知する通知ステップと、
を有し、
前記予測ステップでは、
前記目標輝度が閾値以下である場合に、前記キャリブレーションが正しく実行されると予測され、
前記目標輝度が前記閾値を超える場合に、前記キャリブレーションが正しく実行されないと予測され、
前記予測ステップにおいて、前記キャリブレーションが正しく実行されないと予測された場合に、前記通知ステップでは、前記キャリブレーションが実行される前に、前記予測ステップにおける予測結果が通知される
ことを特徴とするキャリブレーション装置の制御方法である。
【００１４】
本発明の第８の態様は、
画像表示装置の表示輝度のキャリブレーションを実行可能なキャリブレーション装置の制御方法であって、
前記画像表示装置の表示輝度を計測する輝度計に関する情報を取得する第１取得ステップと、
前記画像表示装置に関する情報を取得する第２取得ステップと、
前記画像表示装置に関する情報および前記輝度計に関する情報に基づいて、前記キャリブレーションにおける目標輝度の設定可能な範囲を決定する決定ステップと、
ユーザに前記目標輝度の設定可能な範囲を通知する通知ステップと、
を有することを特徴とするキャリブレーション装置の制御方法である。
【００１５】
本発明の第９の態様は、本発明に係るキャリブレーション装置の制御方法の各ステップをコンピュータに実行させるためのプログラムである。
【００１６】
本発明の第１０の態様は、本発明に係るキャリブレーション装置の制御方法の各ステップをコンピュータに実行させるためのプログラムを記憶したことを特徴とするコンピュータが読み取り可能な記憶媒体である。
【発明の効果】
【００１７】
本発明によれば、輝度計を用いて画像表示装置のキャリブレーションを行う場合に、キャリブレーション実行時の不都合が抑制される。
【図面の簡単な説明】
【００１８】
【図１】各実施例に係るキャリブレーションのシステム構成の一例を示す図
【図２】各実施例に係るキャリブレーション装置の機能ブロック図の一例
【図３】実施例１に係るキャリブレーションを実施する時の設定画面の一例
【図４】実施例１に係るキャリブレーションのフローチャートと警告の一例
【図５】実施例２に係るキャリブレーションを実施する時の設定画面の一例
【図６】実施例２の設定時の動作フローを示したフローチャートの一例
【図７】実施例２に係るキャリブレーションフローチャートと警告の一例
【図８】実施例３に係るキャリブレーションのフローチャートと警告の一例
【図９】実施例４に係るキャリブレーションを実施する時の設定画面の一例
【図１０】実施例４に係るキャリブレーションのフローチャートと警告の一例
【図１１】実施例５に係るキャリブレーションのフローチャートと警告の一例
【発明を実施するための形態】
【００１９】
＜実施例１＞
図１は、実施例１に記載のキャリブレーション装置１００を用いて表示装置１のキャリブレーションを行うシステムの構成を示すシステム構成図である。図１に示されるシステムは、表示装置１、輝度計２およびキャリブレーション装置１００を備える。表示装置１は入力される画像データに基づく画像を表示する画像表示装置である。本実施例では、表示装置１が、バックライトモジュールと液晶パネルを有する液晶表示装置である例を説明するが、表示装置１は液晶表示装置に限定されない。例えば、発光部と、発光部からの光を透過することで画像を表示する表示パネルと、を有する他の表示装置が使用されてもよい。具体的には、表示素子としてＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置が使用されてもよい。自発光型の表示装置が使用されてもよい。具体的には、有機ＥＬ（Ｅｌｅｃｔｒｏ−Ｌｕｍｉｎｅｓｃｅｎｃｅ）表示装置、プラズマ表示装置、等が使用されてもよい。表示装置１は、キャリブレーション装置１００から指示されたキャリブレーションに用いるパッチ画像を画面に表示可能である。
【００２０】
輝度計２は、表示装置１の画面に表示されたパッチ画像の表示輝度を測定する測定装置である。輝度計２は、表示装置１の画面に表示されたパッチ画像の表示色の色度を測定することも可能である。なお、輝度計２は、測定可能な輝度の範囲（以下、「測定可能範囲」とも呼称する）があらかじめ設定されている。輝度計２には、複数の測定可能範囲を有するものがある。その場合、ユーザは複数の測定可能範囲の中から任意の測定可能範囲を選択することが可能である。
【００２１】
キャリブレーション装置１００は、輝度計２から取得した表示輝度もしくは表示色を用いて、表示装置１の表示輝度のキャリブレーションを行う制御装置である。例えば、キャリブレーション装置１００は、表示装置１と輝度計２とに接続したパーソナルコンピュータ（ＰＣ）であるとする。なお、キャリブレーション装置１００は、表示装置１と合わせて、１つの表示装置を構成するものであってもよい。また、キャリブレーション装置１００は、輝度計２に内蔵されていてもよい。なお、本明細書におけるキャリブレーションと
は、例えば、表示装置１が有する、表示輝度の制御値と実際に表示されるべき輝度との対応関係を示すテーブル（以下、「対応表」とも呼ぶ）を校正する作業が想定される。
【００２２】
図２は、実施例１に記載のキャリブレーション装置１００の機能ブロック図である。輝度設定部１０１は、表示装置１が全白表示をした場合の表示輝度の目標値（目標輝度値）を設定する設定部である。目標輝度値には、ユーザによって入力された値が用いられてもよいし、予め設定された値が用いられてもよい。測定範囲取得部１０２は、キャリブレーションに使用する輝度計の測定可能範囲を取得する。判定部１０３は、輝度設定部１０１が設定した目標輝度値と測定範囲取得部１０２の測定可能範囲とから、キャリブレーションを実行した場合に、キャリブレーションが正しく実行されるか否かを判定する。なお、キャリブレーションが正しく実行されるとは、キャリブレーション実行時に何らかのエラーが生じることなくキャリブレーションが完了すること、キャリブレーション中にユーザに違和感を与えないことなどを意味している。判定には、例えばキャリブレーション時のエラーの発生を示すエラー信号が用いられてもよい。
【００２３】
通知部１０４は、判定部１０３によるキャリブレーションに関する予測結果やキャリブレーションに係る各種情報をユーザに通知する。なお、通知の手段は、表示装置を介したテキストやグラフィック画像などの画像の表示であってもよいし、スピーカなどを介した音声によるものでもよいし、それらの組み合わせでもよい。例えば、通知部１０４は、キャリブレーションを実行した場合にエラーが発生する可能性があることをユーザに通知するための警告画像を生成して、表示装置１に出力する。本実施例では、通知する情報は表示装置１に表示されるものとするが、キャリブレーション装置１００が独自に表示手段を有していてもよい。また、通知部１０４は、ブザー音等の発報音で、ユーザに警告を通知するものであってもよい。また通知部１０４は、キャリブレーションに関する各種の情報を音声により通知するものであってもよい。
【００２４】
通信部１０５は、輝度計２と接続して通信を行う通信インターフェースである。通信部１０５は、例えば、輝度計２から表示輝度の測定値もしくは表示色の測定結果を取得する。なお、通信部１０５は、接続した輝度計２の機種を示す情報や、測定可能範囲を示す情報、測定の成否に関する情報（測定エラーの発生など）を取得するものであってもよい。通信部１０６は、表示装置１と接続して通信を行う通信インターフェースである。通信部１０６は、例えば、表示装置１に対して、キャリブレーション値や、表示するパッチ画像を指示する信号などの送信を行う。また、通信部１０６は、ユーザがキャリブレーション装置１００を操作するためのユーザインターフェース画像を出力する。なお、通信部１０６は、接続した表示装置１の機種を示す情報等を取得するものであってもよい。
【００２５】
制御部１０７は、キャリブレーション装置１００の各機能ブロックを制御するためのプロセッサである。また、制御部１０７はキャリブレーションを実行する。例えば、制御部１０７は、表示装置１が有する対応表と、輝度計２による測定値とに基づいて、新たに対応表を作成し、更新された対応表が表示装置１に送信されるよう制御する。メモリ１０８は、輝度計２の機種名と測定可能範囲との関係を示す情報を記憶する。入力部１０９は、ユーザが表示装置１および輝度値２の情報を入力するための入力インターフェースである。例えば、入力部１０９は、キーボードやマウスであるとする。ユーザは、表示装置１に表示されたユーザインターフェース画像上の入力フォームに、入力部１０９を介して、例えば表示装置１および輝度値２の情報を入力する。そして、キャリブレーション装置１００は、ユーザが入力部１０９を介して入力した各種情報を取得する。ユーザが入力する情報は、例えば、表示装置１および輝度値２の機種名やキャリブレーションにおける目標輝度値などである。
【００２６】
なお、上述したキャリブレーション装置１００が備える各機能ブロックの機能は、プロ
セッサである制御部１０７の動作として実現される。具体的には、上述の各機能は、不揮発性メモリに格納されたプログラムがＲＡＭ（Ｒａｎｄｏｍ  Ａｃｃｅｓｓ  Ｍｅｍｏｒｙ）などのワークメモリに展開され、これを制御部１０７が実行することにより実現される。
【００２７】
図３は、キャリブレーションを実施する時の設定画面（設定フォーム２０１）を示す模式図である。設定フォーム２０１は、表示装置１の情報、および輝度計２の情報をユーザが入力するためのユーザインターフェース画像である。ユーザは、入力部１０９を操作して、設定フォームの各入力フォームに、情報を入力する。設定フォーム２０１は、Ｓｅｎｓｏｒ入力部２０２、Ｄｉｓｐｌａｙ入力部２０３、およびＬｕｍｉｎａｎｃｅ入力部２０４を有する。Ｓｅｎｓｏｒ入力部２０２は、ユーザが表示装置１のキャリブレーションに使用する輝度計２の機種名を入力する入力フォームである。Ｄｉｓｐｌａｙ入力部２０３は、表示装置１の機種名を入力する入力フォームである。Ｌｕｍｉｎａｎｃｅ入力部２０４は、表示装置１の全白表示の目標輝度値を入力する入力部である。
【００２８】
図４Ａは、キャリブレーション装置１００が実行するキャリブレーション処理実行可否の判定処理を示すフローチャートである。下記の処理は、制御部１０７が各機能ブロックを制御することによって実現する。
【００２９】
ステップＳ３０１では、測定範囲取得部１０２は、Ｓｅｎｓｏｒ入力部２０２に入力された輝度計２の機種名を取得する。ステップＳ３０２では、測定範囲取得部１０２は、ステップＳ３０１で取得した輝度計２の機種名に対応する測定可能範囲をメモリ１０８から読み出し、読み出した測定可能範囲をキャリブレーションにおける測定可能範囲として決定する。なお、測定範囲取得部１０２は、通信部１０５を介して輝度計２から設定情報を取得し、取得した設定情報を用いて測定可能範囲を決定してもよい。輝度計２から取得する情報は、測定プローブの種類や測定角や同期モードの設定等の輝度計２の機種により異なる項目を示す情報であってもよい。ステップＳ３０３では、輝度設定部１０１は、Ｌｕｍｉｎａｎｃｅ入力部２０４に入力されたキャリブレーションの目標輝度値を取得する。または、輝度設定部１０１は、メモリ１０８等に予め格納された目標輝度値を読み出すことにより取得してもよい。
【００３０】
ステップＳ３０４では、判定部１０３は、ステップＳ３０３で取得した目標輝度値がステップＳ３０２で決定した測定可能範囲に含まれるか否か判定する。目標輝度値が測定可能範囲に含まれると判定された場合（ステップＳ３０４：ＹＥＳ）は、処理はステップＳ３０５に進む。目標輝度値が測定可能範囲に含まれないと判定された場合（ステップＳ３０４：ＮＯ）は、処理はステップＳ３０６に進む。
【００３１】
ステップＳ３０５では、判定部１０３はキャリブレーションが正しく実行されると予測し、制御部１０７はキャリブレーション処理の実行を開始する。ステップＳ３０６では、判定部１０３はキャリブレーションが正しく実行されないと予測し、通知部１０４はユーザに警告を通知する。図４Ｂは、警告画像の一例である。図４Ｂの警告画像は、ステップＳ３０６で通知部１０４が表示装置１に表示させる。警告画像は、例えば、判定部１０３の判定結果に基づき、キャリブレーション実行時に予想される測定エラーの原因の情報を含む。また、警告画像は、Ｌｕｍｉｎａｎｃｅ入力部２０４に設定可能な範囲をユーザに通知するものである。Ｌｕｍｉｎａｎｃｅ入力部２０４に設定可能な範囲とは、Ｓｅｎｓｏｒ入力部２０２で設定された輝度計を用いた場合に、キャリブレーションを実行可能な範囲である。
【００３２】
上述のキャリブレーション装置１００によれば、ユーザが輝度計２を用いて表示装置１のキャリブレーションを行う場合に、キャリブレーション実行時に測定エラーが発生する
可能性を予測することが可能となる。したがって、キャリブレーションの途中で、エラーの発生により、キャリブレーション動作が中断されることを抑制することが可能となる。ユーザはキャリブレーションが中止される可能性があることを予見でき、また回避できるため、ユーザのキャリブレーションにおける利便性が向上する。また、本実施例に係るキャリブレーション装置１００は、例えば、製造者による出荷時において多数の表示装置にキャリブレーションを施すような場合、キャリブレーション作業の効率化に寄与する。
【００３３】
＜実施例２＞
以下、実施例２に係るキャリブレーション装置を、図面を参照して説明する。本実施例に係るキャリブレーション装置は、目標輝度値を設定可能な範囲を定常的に表示する。実施例２に係るシステム構成は、実施例１の図１と同じである。また、実施例２に係るキャリブレーション装置１００の機能ブロックの構成は、実施例１の図２と同じである。図５は、実施例２のキャリブレーションを実施する時の設定画面である。Ｓｅｎｓｏｒ入力部２０２およびＤｉｓｐｌａｙ入力部２０３およびＬｕｍｉｎａｎｃｅ入力部２０４への入力内容は実施例１と同じである。目標輝度値の設定範囲５０２は、キャリブレーション時に設定可能な目標輝度値の設定範囲をユーザに通知する表示領域である。キャリブレーション時に設定可能な目標輝度値の設定範囲は、Ｓｅｎｓｏｒ入力部２０２で入力された輝度計の種類およびＤｉｓｐｌａｙ入力部２０３で入力された画像表示装置の機種名に基づいて決定される。
【００３４】
図６は、実施例２に係る動作のフローを示したフローチャートである。図６に示すフローは、例えば、表示装置１や輝度計２の接続が変更された場合や、キャリブレーションの開始が指示された場合に開始する。より具体的には、本フローは、図５のＳｅｎｓｏｒ入力部２０２およびＤｉｓｐｌａｙ入力部２０３の入力値を変更すると実行される。
【００３５】
ステップＳ３０１における処理は、実施例１と同じである。ステップＳ６０１では、測定範囲取得部１０２は、Ｄｉｓｐｌａｙ入力部２０３で入力した表示装置１の機種名を取得する。
【００３６】
ステップＳ６０２では、測定範囲取得部１０２は、ステップＳ３０１で取得された輝度計２の機種名とステップＳ６０１で取得した表示装置１の機種名に基づいて、目標輝度値を設定可能な範囲を決定する。例えば、目標輝度値を設定可能な範囲として、輝度計２の測定可能範囲が設定されてもよい。この場合、表示装置１に関する情報は不要であり、ステップＳ６０１の処理は不要である。輝度計２の測定可能範囲は、輝度計２の機種名と、メモリ１０８に格納されている、機種名と測定可能範囲との対応の情報とから決定されてもよい。あるいは測定範囲取得部１０２は、輝度計２から設定情報を取得して、測定可能範囲を決定してもよい。輝度計２から取得する設定情報には、例えば、測定プローブの種類、アパーチャーや同期モードの設定等があり、これらの項目は輝度計の機種により異なる。測定可能範囲はさらに、表示装置１の発光部の発光光の分光情報が考慮された上で決定されてもよい。また、目標輝度値を設定可能な範囲は、表示装置１の表示可能な輝度が考慮された上で決定されてもよい。例えば、目標輝度値を設定可能な範囲は、輝度計２の測定可能範囲内であって、表示装置１が表示可能な輝度の範囲内とする。ステップＳ６０３では、ステップＳ６０２で決定された目標輝度値を設定可能な範囲を、図５に示す設定画面における目標輝度値の設定範囲５０２に表示する。
【００３７】
図７Ａは、実施例２に係るキャリブレーションを実施する時の動作フローを示したフローチャートである。図７Ａにおいて、図４Ａおよび図６と同じ符号は動作も同じである。ステップＳ７０１では、通知部１０４が、Ｌｕｍｉｎａｎｃｅ入力部２０４に入力された値が、目標輝度値の設定範囲５０２に表示された範囲内でないことをユーザに通知する警告画像を生成し、表示装置１に表示する。図７Ｂは、ステップＳ７０１で表示される警告
画像の一例である。図７Ｂの警告画像によって、キャリブレーションの開始前に、キャリブレーションにおいてエラーが発生することがユーザに通知される。
【００３８】
本実施例によれば、目標輝度を設定可能な範囲が常に表示される。したがってユーザは警告画像の表示を待たずに、目標輝度値を設定可能な範囲を確認できる。例えば、ユーザが目標輝度値を入力するときに、目標輝度値の設定範囲５０２を確認の上、適切な目標輝度値を設定できる。これによって、目標輝度値の設定範囲５０２に表示される範囲外の目標輝度値を入力してしまうという誤入力が防止され、キャリブレーションの失敗が抑制される。
【００３９】
＜実施例３＞
以下、実施例３に係るキャリブレーション装置を、図面を参照して説明する。本実施例では、キャリブレーション実行前に輝度計による仮測定を行い、測定エラーが発生するか否かが判断される。本実施例に係るシステム構成は図１と同じである。本実施例に係るキャリブレーション装置１００の構成は、実施例１の図２と同じである。本実施例に係るキャリブレーションを実施する時の設定画面は、図３と同じである。
【００４０】
図８Ａは、実施例３に係るキャリブレーションを実施する時の動作フローを示したフローチャートである。図８Ａにおいて、図４Ａと同じ符号で示されるステップは処理も同じであるため、説明は省略する。ステップＳ９０１では、制御部１０７は、表示装置１を、ステップＳ３０３で取得したキャリブレーションの目標輝度値で全白表示するよう制御する。ステップＳ９０２では、輝度計２が、目標輝度値が設定された表示装置１の表示輝度を測定する。
【００４１】
ステップＳ９０３では、判定部１０３が、ステップＳ９０２における測定の結果、測定エラーが発生したか否かを判定する。測定エラー発生の判断には、例えば、輝度計２の測定値、または輝度計２が送信する測定エラー信号などが用いられてもよい。例えば、判定部１０３は、通信部１０５を介して輝度計２から測定値を取得して、測定値が所定の値を超える場合に測定エラーが発生していると判定する。または、もし輝度計２の測定可能範囲が分かっている場合には、測定値が測定可能範囲外である場合に測定エラーが発生していると判定してもよい。また、輝度計２は、測定エラーの発生の有無を判断する機能と、測定エラー時に測定エラー信号を送信する機能を備えているものとする。そして判定部１０３は、通信部１０５を介して測定エラー信号を受信した場合に、測定エラーが発生したと判断する。判定部１０３が、測定エラーが発生していないと判定した場合（ステップＳ９０３：ＮＯ）は、ステップＳ３０５へ処理が進む。判定部１０３が、エラーが発生したと判定した場合（ステップＳ９０３：ＹＥＳ）は、処理はステップＳ９０４に進む。
【００４２】
ステップＳ９０４では、ステップＳ９０２で測定エラーが発生したので、判定部１０３はキャリブレーションが正しく実行されないと判定し、通知部１０４を介してユーザに警告を通知する。図８Ｂは、ステップＳ９０４でユーザに通知される警告画像の一例である。図８Ｂの警告画像は、ステップＳ９０３で判定した判定結果に基づき、キャリブレーションの実行前に、目標輝度値の設定変更をユーザに促す。
【００４３】
本実施例に係るキャリブレーション装置１００によれば、測定可能範囲が不明な輝度計を用いたキャリブレーションを行う際にも、キャリブレーション前にキャリブレーションが正しく実行されるか否かを予測できる。これによって、キャリブレーションの失敗が抑制される。
【００４４】
＜実施例４＞
以下、実施例４に係るキャリブレーション装置を、図面を参照して説明する。本実施例
に係るキャリブレーション装置は、キャリブレーションが正しく実行されないと判定された場合に、輝度計の測定可能範囲内の測定値を外挿した外挿キャリブレーションを実行する。本実施例に係るシステム構成は実施例１の図１と同じである。本実施例に係るキャリブレーション装置１００の構成は、実施例１の図２と同じである。図９は、本実施例に係るキャリブレーションを実施する時の設定画面である。図９において、設定フォーム１１０１は、Ｓｅｎｓｏｒ入力部２０２、Ｄｉｓｐｌａｙ入力部２０３、およびＬｕｍｉｎａｎｃｅ入力部２０４を有する。本実施例では、輝度計２の測定可能範囲は０．００５〜１０００ｃｄ／ｍ２であるとして以下、説明を進める。
【００４５】
図９において、Ｌｕｍｉｎａｎｃｅ入力部１１０２に設定された目標輝度値２０００ｃｄ／ｍ２は、輝度計２の測定可能範囲外である。図１０Ａは、図９の設定画面の内容に従ってキャリブレーションを実施するときの動作フローを示したフローチャートである。図１０Ａにおいて、ステップＳ３０１〜ステップＳ３０３およびステップＳ３０５の動作は、実施例１の図４Ａと同じであるため、説明は省略する。
【００４６】
ステップＳ１２０１では、判定部１０３が、ステップＳ３０３で取得したキャリブレーションの目標輝度値の設定値がステップＳ３０２で決定した測定可能範囲に含まれるか否かを判定する。目標輝度値が測定可能範囲に含まれる場合（ステップＳ１２０１：ＹＥＳ）は、キャリブレーションが正しく実行されると判断され、処理はステップＳ３０５に進む。目標輝度値が測定可能範囲に含まれない場合（ステップＳ１２０１：ＮＯ）は、キャリブレーションが正しく実行されないと判断され、処理はステップＳ１２０２に進む。
【００４７】
ステップＳ１２０２では、目標輝度値の設定値が測定可能範囲を超えているため、警告が表示される。図１０Ｂは、ユーザに通知される警告の一例である。図１０Ｂの警告画像の例では、キャリブレーション実行時にエラーが発生することが警告され、輝度計２の測定値の外挿値を用いた外挿キャリブレーションが実行されることがユーザに通知される。ステップＳ１２０３では、制御部１０７が外挿キャリブレーションを実行する。
【００４８】
以下、外挿キャリブレーションの方法の一例を説明する。前述したように、本実施例の輝度計２の測定可能範囲は、０．００５〜１０００ｃｄ／ｍ２である。目標輝度値が２０００ｃｄ／ｍ２に設定された場合、輝度計２で測定できる輝度である１０００ｃｄ／ｍ２以下で、輝度計２で測定できる輝度の１／Ｎ（Ｎは整数）の輝度値を仮の目標輝度値に設定して仮のキャリブレーションを行う。仮のキャリブレーション後、輝度設定をＮ倍して、輝度計２の測定可能範囲まで調整が行われ、測定可能範囲を超える部分は、調整できた範囲より推定して、外挿部分の調整値が求められる。
【００４９】
本実施例によれば、目標輝度値が輝度計２の測定可能範囲外であっても、測定値の外挿値を用いた確度の高いキャリブレーションを実行できる。また、ユーザは警告表示により、外挿キャリブレーションが行われたことを把握できる。なお、警告画像に外挿キャリブレーションの実行ボタンおよびキャンセルボタンを設けておき、外挿キャリブレーションを実行するかしないか、ユーザが判断できるようにしてもよい。これによってユーザは目標輝度を再設定して正規のキャリブレーションを実行するか、外挿キャリブレーションを実行するか適切な方法を選択できる。
【００５０】
＜実施例５＞
以下、実施例５に係るキャリブレーション装置について、図面を参照して説明する。本実施例に係るキャリブレーション装置は、目標輝度値が高すぎる場合に、警告を表示する。本実施例に係るシステム構成は、実施例１の図１と同じである。本実施例に係るキャリブレーション装置１００の構成は、実施例１の図２と同じである。また本実施例の設定画面は、実施例４の図９と同じである。
【００５１】
図１１Ａは、図９の設定画面の設定に従って、実施例５に係るキャリブレーションを実施するときの動作フローを示したフローチャートである。図１１Ａにおいて、ステップＳ３０３およびステップＳ３０５の動作は、実施例１の図４Ａと同じであるため、説明は省略する。
【００５２】
ステップＳ１４０１では、判定部１０３がステップＳ３０３で取得したキャリブレーションの目標輝度値の設定値が、閾値より高いか否かを判定する。閾値には、例えば、一般的な輝度計が測定可能な範囲の輝度値が設定されてもよい。これによって、例えば、ユーザが意図しない、誤入力による極端に高い目標輝度値に基づくキャリブレーションの失敗が抑制される。また、予め実験や調査により、ユーザにまぶしさ等により影響を与える輝度を把握しておき、その輝度が閾値に設定されてもよい。これによって、極端なまぶしさなど、キャリブレーション実行中にユーザに違和感を与えることが防止される。ユーザにまぶしさ等により影響を与える輝度とは、例えば、発明者らの知見によれば１０００ｃｄ／ｍ２以上が想定されているが、必ずしもこの値でなくとも良い。目標輝度値の設定値が閾値より高い場合（ステップＳ１４０１：ＹＥＳ）は、処理はステップＳ１４０２に進む。目標輝度値の設定値が閾値以下の場合（ステップＳ１４０１：ＹＥＳ）は、処理はステップＳ３０５に進む。
【００５３】
ステップＳ１４０２では、ユーザに警告が通知される。図１１Ｂは、ステップＳ１４０２でユーザに通知される警告画像の一例である。図１１Ｂの警告画像は、まぶしさ等により影響を与える可能性があることをユーザに警告する。ステップＳ１４０３では、判定部１０３は、ユーザの入力に基づいて、キャリブレーションを実行するか否かを判定する。ユーザは、例えば、入力部１０９を介して図１１Ｂにおける警告画像中の実行ボタン１５０１またはキャンセルボタン１５０２のいずれかを選択することにより、キャリブレーションを実行するか否かを選択できる。ユーザが実行ボタン１５０１を選択した場合（ステップＳ１４０３：ＹＥＳ）は、処理はステップＳ３０５に進む。ユーザがキャンセルボタン１５０２を選択した場合（ステップＳ１４０３：ＮＯ）は、本フローは終了する。
【００５４】
本実施例に係るキャリブレーション装置１００によれば、ユーザが誤って高い目標輝度値を設定してしまった場合など、不注意によるキャリブレーションの失敗が未然に防止される。また、キャリブレーション中のまぶしさなど、ユーザに与える違和感が防止される。
【００５５】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００５６】
なお、実施例１〜５はあくまで一例であり、本発明の要旨の範囲内で実施例１〜５の構成を適宜変形したり変更したりすることにより得られる構成も、本発明に含まれる。実施例１〜５の構成を適宜組み合わせて得られる構成も、本発明に含まれる。
【００５７】
実施例１〜５では、ユーザへの通知は表示装置による画像表示によってなされた。しかし、通知の手段はこれに限るものでなく、例えば音声によってなされてもよい。例えば、ユーザに対する警告は、ブザー音などの発報音によってなされてもよい。また、警告の内容や、輝度計の測定可能範囲などの各種情報は、音声によってユーザに通知されてもよい。
【００５８】
実施例１〜５では、図１に示すように、キャリブレーション装置１００は、表示装置１とも、輝度計２とも別体であるものとした。しかし、キャリブレーション装置１００は表示装置１に内蔵されていてもよい。または、キャリブレーション装置１００は輝度計２に内蔵されるものであってもよい。
【００５９】
なお、実施例１〜５の装置の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【符号の説明】
【００６０】
１：表示装置    ２：輝度計    １００：キャリブレーション装置    １０３：判定部  
１０４：通知部    １０７：制御部    １０９：入力部
【図１】
2018146621.tif 000003
【図２】
2018146621.tif 000004
【図３】
2018146621.tif 000005
【図４】
2018146621.tif 000006
【図５】
2018146621.tif 000007
【図６】
2018146621.tif 000008
【図７】
2018146621.tif 000009
【図８】
2018146621.tif 000010
【図９】
2018146621.tif 000011
【図１０】
2018146621.tif 000012
【図１１】
2018146621.tif 000013